【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
デバイスであって、
線量計スレッドの１つ以上の光励起ルミネセンス（ＯＳＬ）センサを読み込むためのＯＳＬリーダー；
読み取り位置で該線量計スレッドの１つ以上のＯＳＬセンサを各々順番に配置するためのエンジンにより駆動されるスレッドスライダであって、該ＯＳＬリーダーが各々の該ＯＳＬセンサを読み込む、スレッドスライダ；
該１つ以上のＯＳＬセンサの読み取りに関連する情報を表示するためのディスプレイ；および
１つ以上のバッテリーを保持するためのバッテリーコンパートメント；を備え、
ここで、該ＯＳＬリーダーがＬＥＤ光源を備え、
ここで、該バッテリーコンパートメントが該ＯＳＬリーダー、該エンジン、および該ディスプレイに電気的に接続されており、
ここで、該１つ以上のバッテリーが、該ＯＳＬリーダー、該エンジンおよび該ディスプレイを操作するために必要な電力の全てを提供し、そして
ここで、該１以上のＯＳＬセンサの各々が、１以上の円筒カップ状エネルギー補償フィルタ内に備え付けられた光励起ルミネセンス材料（ＯＳＬＭ）；該ＯＳＬＭのフィルタ面と、１つ以上の円筒カップ状エネルギー補償フィルタの選択された円筒カップ状エネルギー補償フィルタとの間に挟持されたフィルタ材料でなる１つ以上のディスクを備える、デバイス。
【請求項２】
さらに、前記１つ以上のバッテリーを備える、請求項１に記載のデバイス。
【請求項３】
前記１つ以上のバッテリーが４つのＡＡバッテリーを備える、請求項２に記載のデバイス。
【請求項４】
前記１つ以上のバッテリーの全重量が約100ｇ未満である、請求項２に記載のデバイス。
【請求項５】
前記１つ以上のバッテリーを備える前記デバイスの全重量が約2,700ｇ以下である、請求項２に記載のデバイス。
【請求項６】
前記１以上のバッテリーが４つのＡＡバッテリーを備える。請求項１に記載のデバイス。
【請求項７】
前記１以上のバッテリーを除く前記デバイスの全重量が2,600g以下である、請求項１に記載のデバイス。
【請求項８】
前記ＯＳＬＭがＡｌ２Ｏ３：Ｃ材料を含む、請求項１に記載のデバイス。
【請求項９】
前記デバイスが、前記１つ以上のＯＳＬセンサの各々を読み込むために、１秒未満で90mAの電流を必要とする、請求項１に記載のデバイス。
【請求項１０】
前記デバイスが、前記１つ以上のＯＳＬセンサを読み込む前の電源アイドリング状態の場合に、80mA以下の電流を必要とする、請求項１に記載のデバイス。
【請求項１１】
前記デバイスが二つ折りのケースに備え付けられている、請求項１に記載のデバイス。
【請求項１２】
前記デバイスが、片手で該デバイスを持ち運びするためのハンドルを備える、請求項１に記載のデバイス。
【請求項１３】
デバイスであって、
線量計スレッドの１つ以上の光励起ルミネセンス（ＯＳＬ）センサを読み込むためのＯＳＬリーダー；
読み取り位置で該線量計スレッドの該１つ以上のＯＳＬセンサを各々順番に配置するためのエンジンにより駆動するスレッドスライダであって、該ＯＳＬリーダーが各々の該ＯＳＬセンサを読み込む、スレッドスライダ；
該１つ以上のＯＳＬセンサの読み取りに関連する情報を表示するためのディスプレイ；
該１つ以上のバッテリーのためのバッテリーコンパートメント；および
該デバイスを格納するケースを備え、
該ケースが閉じられた形態にあるとき、該デバイスが約3065cm3以下の全容積を有し、
ここで、該１以上のＯＳＬセンサの各々が、１以上の円筒カップ状エネルギー補償フィルタ内に備え付けられた光励起ルミネセンス材料（ＯＳＬＭ）；該ＯＳＬＭのフィルタ面と、１つ以上の円筒カップ状エネルギー補償フィルタの選択された円筒カップ状エネルギー補償フィルタとの間に挟持されたフィルタ材料でなる１つ以上のディスクを備える、デバイス。
【請求項１４】
前記デバイスが、片手で該デバイスを持ち運びするためのハンドルを備える、請求項１３に記載のデバイス。
【請求項１５】
デバイスであって、
線量計の１つ以上の光励起ルミネセンス（ＯＳＬ）センサを読み込むためのＯＳＬリーダー；
該デバイス内でスライド可能に備え付けられた線量計ドロワであって、２つの保持タブが延びる２つのタブ開口部を備えるドロワ基部；および
該ドロワが互いに対向する第一方向および第二方向にスライドするように該線量計ドロワを押し引きするためのドロワハンドルを備える線量計ドロワ；
該ドロワ基部における各々のポスト開口部を通じて延びる第一および第二ループリテーナ、を備え、
ここで、該線量計が該線量計ドロワに積載される際に該ドロワ基部が、該線量計の下方ハウジングの１つ以上の第二係合構造を係合するための１つ以上の第一係合構造を備え、それにより該下方ハウジングが該ドロワ基部に対して回転することを防ぎ；
ここで、該線量計の上方ハウジングが該線量計の下方ハウジングから分離される際に、第一方向における該線量計ドロワのスライドが該２つの保持タブを、該線量計の該下方ハウジングの凹部の各々リップおよび切り欠きを係合させて、該ドロワ基部の該線量計の該下方ハウジングを保持し、
ここで、該線量計の該上方ハウジングが該下方ハウジングに対して約90°回転して該下方ハウジングから該上方ハウジングを解放する際に、第一および第二ループ保持ポストが該線量計の該上方ハウジングの各々の第一および第二ループを保持し、
ここで、該上方ハウジングが該第一および第二ループ保持ポストによって保持されかつ該線量計ドロワが該第一方向に押し出される際に、該第一および第二ループリテーナが該下方ハウジングの上方に該上方ハウジングを上昇させ、
ここで、該線量計ドロワが該第二方向に引き抜かれる際に、該第一および第二ループリテーナが該下方ハウジング上の該下方ハウジングから分離された該上方ハウジングを低下させ、そして
該デバイスがさらに：
昇降台であって、
その外側面上にバレル溝を有するバレル；
該バレル溝内を移動するその内側面上に舌部を備えるループリテーナ昇降器；および
該バレルに搭載されたピニオンギア；
を備える、昇降台；ならびに
該ピニオンギアのピニオン歯を係合するラック歯を有するラック；
を備え、
ここで、該線量計ドロワが該第一方向に押し出された際に該ピニオンギアが該ラックに沿って回転し、それにより該バレルが回転し、そして該ループリテーナ昇降器の舌部が該バレル溝に沿って移動し、それにより該ループリテーナ昇降器が該バレルに対して外周方向に移動し、そして第一および第二ループリテーナが該線量計の該下方ハウジングの上方に該上方ハウジングを上昇させる、デバイス。
【請求項１６】
前記１以上の第一係合構造がＣ形状のリッジを備え、かつ前記１つ以上の第二係合構造がＣ形状の溝を備える、請求項１５に記載のデバイス。
【請求項１７】
前記線量計ドロワが、前記デバイスの線量計ローディング／アンローディング領域から該デバイスの線量計準備領域まで押し出される際に前記２つの保持タブが前記デバイスによって外周方向に移動する、請求項１５に記載のデバイス。
【請求項１８】
前記デバイスがさらに、前記線量計ドロワが前記読み取り領域ハウジングに押し出される際に、遮光エンクロージャ(light tight enclosure)を形成する準備領域ハウジングを含み、そして該遮光エンクロージャの一部が、該線量計ドロワのドロワハウジングを備える、請求項１５に記載のデバイス。
【請求項１９】
前記１つ以上のＯＳＬセンサが、前記下方ハウジング内にスライド可能に備え付けられた線量計スレッド内に備え付けられており、
ここで、前記デバイスがさらに、該デバイス内でスライド可能に備え付けられたスレッドスライダを備え、
ここで、該スレッドスライダが該線量計スレッドを押し引きし、
ここで、該スレッドスライダが線量計スレッドを該下方ハウジングの外に引き出し、かつ該デバイスの線量計読み取り領域に引き入れ、
ここで、該スレッドスライダが、該線量計スレッドを該１つ以上のＯＳＬセンサの各々について各々の読み取り位置まで該線量計読み取り領域内に移動させ、
ここで、各ＯＳＬセンサが該ＯＳＬセンサについて該各々の読み取り位置で該ＯＳＬリーダーによって読み取られ、そして
ここで、該スレッドスライダが、該１つ以上のＯＳＬセンサの選択された１つ以上が該ＯＳＬリーダーで読み取られた後、該線量計スレッドを該下方ハウジングに押し戻す、請求項１８に記載のデバイス。
【請求項２０】
前記デバイスがさらに、前記１つ以上のＯＳＬセンサが各々の読み取り位置にある際に測定のために各ＯＳＬセンサと並べられた各ノッチと相互に作用する光学センサを備える、請求項１９に記載のデバイス。
【請求項２１】
前記スレッドスライダが、前記線量計スレッドの第二のＵ形状の戻り止めおよび第二のタングをそれぞれ係合するための第一のタングと第一のＵ形状の戻り止めを備え、それにより、該スレッドスライダが前記線量計スレッドの引き出しを可能にし、そして該スレッドスライダが該線量計スレッドを押し出すための押し出し端部を備える、請求項１９に記載のデバイス。
【請求項２２】
前記スレッドスライダが前記線量計スレッドを押し引きする方向が、前記線量計ドロワが移動する前記第一のおよび第二の方向に対して垂直である、請求項１９に記載のデバイス。
【請求項２３】
前記デバイスがさらに、前記線量計スレッド上に備え付けられたＲＦＩＤタグと通信するためのＲＦＩＤタグリーダーを備える、請求項１９に記載のデバイス。
【請求項２４】
前記ＲＦＩＤタグリーダーが、前記線量計スレッドが前記ＯＳＬセンサの１つについて読み取り位置にある際に前記ＲＦＩＤタグと通信する、請求項２３に記載のデバイス。
【請求項２５】
前記１つ以上のＯＳＬセンサ各々が、第一の円筒カップ状フィルタ中に備え付けられた光励起ルミネセンス材料（ＯＳＬＭ）を備え、そして該第一の円筒カップ状フィルタが第一のエネルギー補償材料を含む、請求項１９に記載のデバイス。
【請求項２６】
前記第一の円筒カップ状フィルタがアルミニウムから構成されている、請求項２５に記載のデバイス。
【請求項２７】
前記第一の円筒カップ状フィルタが、その中に分散した金属粒子を有するプラスチックを含む、請求項２５に記載のデバイス。
【請求項２８】
前記１つ以上のＯＳＬセンサの第一のＯＳＬセンサが、前記第一の円筒カップ状フィルタが搭載されている第二の円筒カップ状フィルタを備える、請求項２５に記載のデバイス。
【請求項２９】
前記第一の円筒カップ状フィルタがアルミニウムを含み、かつ前記第二の円筒カップ状フィルタが銅を含む、請求項２８に記載のデバイス。
【請求項３０】
前記１つ以上のＯＳＬセンサの各々が、前記ＯＳＬＭと前記第一の円筒カップ状フィルタの基部との間に配置された１つ以上のフィルタ材料ディスクを備える、請求項２５に記載のデバイス。
【請求項３１】
前記１つ以上のＯＳＬセンサの第一のＯＳＬセンサが、前記ＯＳＬＭと前記第一の円筒カップ状フィルタとの間に配置されたコンバータ材料ディスクを備える、請求項３０に記載のデバイス。
【請求項３２】
前記コンバータ材料ディスクが高密度ポリエチレンから構成され、そして前記ＯＳＬＭと該コンバータ材料ディスクとの間に配置されたポリエチレンから構成される共形ディスクが存在する、請求項３１に記載のデバイス。
【請求項３３】
前記１つ以上のＯＳＬセンサの第二のＯＳＬセンサが、前記ＯＳＬＭと前記第一の円筒カップ状フィルタとの間に配置されたポリテトラフルオロエチレンから構成される参照フィルタ材料ディスクを含む、請求項３０に記載のデバイス。
【請求項３４】
前記第一の円筒カップ状フィルタがアルミニウムから構成されている、請求項３３に記載のデバイス。
【請求項３５】
ＯＳＬセンサがさらに、前記第一の円筒カップ状フィルタが備え付けられた第二の円筒カップ状フィルタを備える、請求項３４に記載のデバイス。
【請求項３６】
前記第二の円筒カップ状フィルタが銅から構成されている、請求項３５に記載のデバイス。
【請求項３７】
デバイスであって、
１つ以上の光励起ルミネセンス（ＯＳＬ）センサを備える放射線線量計；および
身体の一部または被服製品の一部の周りに巻きつけて該線量計が個体に着用可能となるためのストラップ部材を備え、
ここで、該線量計が上方ハウジングおよび下方ハウジングを備え、
ここで、該上方ハウジングが該下方ハウジングから分離可能であり、
ここで、該１つ以上のＯＳＬセンサが各々光励起ルミネセンス材料（ＯＳＬＭ）および１つ以上のフィルタを備え、
ここで、該上方ハウジングが、該下方ハウジングの外ねじ山を係合する内ねじ山を備え、そして該上方ハウジングが、該下方ハウジングが該上方ハウジングに備え付けられている位置から該下方ハウジングに対して９０°回転する際に該下方ハウジングから分離可能であり、
ここで、該線量計が、該ストラップ部材が捩じ込まれ、かつ個体によって把持可能でありそれによって、該下方ハウジングの回転を防ぐ際に該個体が該下方ハウジングに対して９０°該上方ハウジングを回転させることが可能な線量計の対向する側に２つのループを備え、
ここで、該下方ハウジングが、該下方ハウジングが線量計リーダーに装填される際に該下方ハウジングの回転を防ぐために該線量計リーダーの１つ以上の相補的回転防止係合構造を各々係合するための１つ以上の回転防止係合構造を備え、そして
ここで、該下方ハウジングが、該線量計リーダーの該上方ハウジングが該下方ハウジングから持ち上げられる際に該線量計リーダーからの持ち上げから、該線量計リーダーに装填される該下方ハウジングを保持するために該線量計リーダーの１つ以上の相補的保持構造を各々係合するための１つ以上の保持構造を備える、デバイス。
【請求項３８】
デバイスであって、
１つ以上の光励起ルミネセンス（ＯＳＬ）センサを備える線量計スレッド；
上方ハウジング；および
下方ハウジング；
を備える放射線線量計、ならびに
被服製品の一部に装着し、それにより該線量計が個体に着用可能となるためのクリップ
を備え、
ここで、該１つ以上のＯＳＬセンサが各々光励起ルミネセンス材料（ＯＳＬＭ）および１つ以上のフィルタを備え、
ここで、該上方ハウジングが、該下方ハウジングの外ねじ山を係合する内ねじ山を備え、
ここで、該上方ハウジングが、該下方ハウジングが該上方ハウジングに備え付けられている位置から該下方ハウジングに対して９０°回転する際に該上方ハウジングが該下方ハウジングから分離可能であり、
ここで、該線量計スレッドが該下方ハウジングにスライド可能に備え付けられており、
ここで、該下方ハウジングが、該下方ハウジングが線量計リーダーに装填される際に、該下方ハウジングの回転を防止するために該線量計リーダーの１つ以上の相補的回転防止係合構造の各々を係合するための１つ以上の回転防止係合構造を備え、そして
ここで、該下方ハウジングが、該線量計リーダーの該上方ハウジングが該下方ハウジングから持ち上げられる際に該線量計リーダーからの持ち上げから、該線量計リーダーに装填される該下方ハウジングを保持するために該線量計リーダーの１つ以上の相補的保持構造を各々係合するための１つ以上の保持構造を備え、
ここで、該線量計が、個体によって把持可能でありそれによって、該下方ハウジングの回転を防ぐ際に該個体が該下方ハウジングに対して９０°該上方ハウジングを回転させることが可能な線量計の対向する側に２つのループを備え、そして該クリップが該２つのループの一方に装着される、デバイス。
【請求項３９】
デバイスであって、
１つ以上の光励起ルミネセンス（ＯＳＬ）センサを備える放射線線量計；および
被服製品の一部に装着し、それにより該線量計が個体に着用可能となるためのクリップを備え、
ここで、該１つ以上のＯＳＬセンサが各々光励起ルミネセンス材料（ＯＳＬＭ）および１つ以上のフィルタを備え、
ここで、該線量計が上方ハウジングおよび下方ハウジングを備え、そして、該上方ハウジングが該下方ハウジングから分離可能であり、
ここで、該上方ハウジングが、該下方ハウジングの外ねじ山を係合する内ねじ山を備え、そして該上方ハウジングが、該下方ハウジングが該上方ハウジングに備え付けられている位置から該下方ハウジングに対して９０°回転する際に該下方ハウジングから分離可能であり、
ここで、該線量計が、個体によって把持可能でありそれによって、該下方ハウジングの回転を防ぐ際に該個体が該下方ハウジングに対して９０°該上方ハウジングを回転させることが可能な線量計の対向する側に２つのループを備え、そして該クリップが該２つのループの一方に装着され、
ここで、該下方ハウジングが、該下方ハウジングが線量計リーダーに装填される際に該下方ハウジングの回転を防ぐために該線量計リーダーの１つ以上の相補的回転防止係合構造を各々係合するための１つ以上の回転防止係合構造を備え、そして
ここで、該下方ハウジングが、該線量計リーダーの該上方ハウジングが該下方ハウジングから持ち上げられる際に該線量計リーダーからの持ち上げから、該線量計リーダーに装填される該下方ハウジングを保持するために該線量計リーダーの１つ以上の相補的保持構造を各々係合するための１つ以上の保持構造を備える、デバイス。